(57)【要約】【課題】周波数変調における最大周波数偏移の増大を抑制する。【解決手段】偏移制御回路５は、第１のリミッタ回路１１、移相器１２、第１の抑圧部１３および低減部１４を備える。第１のリミッタ回路１１は、マイク２から入力され、Ａ−Ｄ変換器３でＡ−Ｄ変換され、プリエンファシス回路４で周波数微分され、高周波成分の相対強度が増大された制御対象信号の振幅制限を行う。移相器１２は、振幅制限された制御対象信号に対し、第１の周波数範囲内の周波数成分の位相シフトを行う。第１の抑圧部１３は、位相シフトされた制御対象信号に対し、第２の閾値以上の周波数成分の抑圧を行う。低減部１４は、周波数成分が抑圧された制御対象信号に対し、第２の周波数範囲内の周波数成分の抑圧を行い、情報信号として出力する。変調部６は情報信号に応じて搬送波を周波数変調し、送信部７は周波数変調された搬送波から送信信号を生成し、アンテナ８から送信する。【選択図】図１
2018056715.tif 000002
【特許請求の範囲】
【請求項１】
周波数変調を行う無線機に設けられ、前記周波数変調に用いられる情報信号を出力する偏移制御回路であって、
入力された制御対象信号の振幅を第１の閾値以下の値に制限する第１のリミッタ回路と、
前記第１のリミッタ回路で振幅が前記第１の閾値以下の値に制限された前記制御対象信号に対して、定められた第１の周波数範囲内の周波数成分の位相を定められた量だけシフトする、位相シフトを行う移相器と、
前記移相器で前記位相シフトされた前記制御対象信号に対して、第２の閾値以上の周波数成分の抑圧を行う第１の抑圧部と、
前記第１のリミッタ回路で振幅が前記第１の閾値以下の値に制限された前記制御対象信号、前記移相器で前記位相シフトされた前記制御対象信号、および前記第１の抑圧部で前記第２の閾値以上の周波数成分が抑圧された前記制御対象信号のいずれかに対して、定められた第２の周波数範囲内の周波数成分の抑圧を行うことで、前記情報信号の波高値を低減する低減部と、
を備える偏移制御回路。
【請求項２】
前記低減部は、
前記第１の抑圧部で前記第２の閾値以上の周波数成分が抑圧された前記制御対象信号の振幅を第３の閾値以下の値に制限する第２のリミッタ回路と、
前記第２のリミッタ回路で振幅が前記第３の閾値以下の値に制限された前記制御対象信号に対して、第４の閾値以上の周波数成分の抑圧を行う第２の抑圧部と、
を備える請求項１に記載の偏移制御回路。
【請求項３】
前記第３の閾値は前記第１の閾値より大きい値である請求項２に記載の偏移制御回路。
【請求項４】
前記第４の閾値は前記第２の閾値に一致するとみなせる値である請求項２または３に記載の偏移制御回路。
【請求項５】
前記第２の周波数範囲は第５の閾値以下の周波数範囲であり、
前記低減部は、前記第１のリミッタ回路で振幅が前記第１の閾値以下の値に制限された前記制御対象信号に対して、前記第５の閾値以下の周波数成分の抑圧を行い、
前記移相器は、前記第１のリミッタ回路で振幅が前記第１の閾値以下の値に制限され、前記低減部で前記第５の閾値以下の周波数成分が抑圧された前記制御対象信号に対して、前記位相シフトを行う、
請求項１に記載の偏移制御回路。
【請求項６】
前記第２の周波数範囲は第６の閾値以下の周波数範囲であり、
前記低減部は、前記移相器で前記位相シフトされた前記制御対象信号に対して、前記第６の閾値以下の周波数成分の抑圧を行い、
前記第１の抑圧部は、前記移相器で前記位相シフトされ、前記低減部で前記第６の閾値以下の周波数成分が抑圧された前記制御対象信号に対して、前記第２の閾値以上の周波数成分の抑圧を行う、
請求項１に記載の偏移制御回路。
【請求項７】
請求項１から５のいずれか１項に記載の偏移制御回路と、
前記情報信号の信号レベルに応じて搬送波の周波数を変化させる周波数変調を行う変調部と、
前記変調部で前記周波数変調された前記搬送波から送信信号を生成し、アンテナから送信する送信部と、
を備える無線機。
【請求項８】
前記送信信号の占有周波数帯域幅に応じて、前記移相器における前記位相シフトの対象となる前記第１の周波数範囲および前記位相シフトの前記定められた量、前記第１の抑圧部の前記第２の閾値、ならびに前記低減部の前記第２の周波数範囲の少なくともいずれかを調節する調節部をさらに備える請求項７に記載の無線機。
【発明の詳細な説明】
【技術分野】
【０００１】
本発明は、偏移制御回路および無線機に関する。
【背景技術】
【０００２】
ＦＭ（Frequency Modulation：周波数変調）無線機では、周波数変調における最大変調度（最大周波数偏移）を既定値以下とするために、ＩＤＣ（Instantaneous Deviation Control：瞬時偏移制御）回路が設けられ、ＩＤＣ回路の出力で搬送波が周波数変調される。ＩＤＣ回路はリミッタ回路およびスプラッタフィルタを有する。リミッタ回路においてＩＤＣ回路に入力された信号の振幅が制限され、リミッタ回路において生じた高調波成分がスプラッタフィルタで抑圧される。
【０００３】
特許文献１に開示される無線送受信装置においては、マイクからの音声信号はプリアンプおよびプリエンファシス回路にて周波数微分され、リミッタアンプで高レベルの信号がクリップされる。スプラッタフィルタにおいて、クリップによって生じる高調波が抑圧される。リミッタアンプおよびスプラッタフィルタがＩＤＣ回路を構成する。
【先行技術文献】
【特許文献】
【０００４】
【特許文献１】特開昭６１−２６５９３０号公報
【発明の概要】
【発明が解決しようとする課題】
【０００５】
マイクに対して息を吹きかける、マイクを金属棒で叩く、音声信号ラインに触れる、または大声でしゃべるなどした場合に、周波数変調における最大周波数偏移が既定値を超えることがある。上記の場合、ＩＤＣ回路に入力された信号が複数の周波数成分を含むため、複数の周波数成分が重なり合うことで、周波数変調に用いられる信号の波高値が増大する。周波数変調に用いられる信号の波高値が増大することで、最大周波数偏移が既定値を超えてしまう。
【０００６】
本発明は上述の事情に鑑みてなされたものであり、周波数変調における最大周波数偏移の増大を抑制することが目的である。
【課題を解決するための手段】
【０００７】
上記目的を達成するため、本発明の第１の観点に係る偏移制御回路は、周波数変調を行う無線機に設けられ、前記周波数変調に用いられる情報信号を出力する偏移制御回路であって、
入力された制御対象信号の振幅を第１の閾値以下の値に制限する第１のリミッタ回路と、
前記第１のリミッタ回路で振幅が前記第１の閾値以下の値に制限された前記制御対象信号に対して、定められた第１の周波数範囲内の周波数成分の位相を定められた量だけシフトする、位相シフトを行う移相器と、
前記移相器で前記位相シフトされた前記制御対象信号に対して、第２の閾値以上の周波数成分の抑圧を行う第１の抑圧部と、
前記第１のリミッタ回路で振幅が前記第１の閾値以下の値に制限された前記制御対象信号、前記移相器で前記位相シフトされた前記制御対象信号、および前記第１の抑圧部で前記第２の閾値以上の周波数成分が抑圧された前記制御対象信号のいずれかに対して、定められた第２の周波数範囲内の周波数成分の抑圧を行うことで、前記情報信号の波高値を低減する低減部と、
を備える。
【０００８】
好ましくは、前記低減部は、
前記第１の抑圧部で前記第２の閾値以上の周波数成分が抑圧された前記制御対象信号の振幅を第３の閾値以下の値に制限する第２のリミッタ回路と、
前記第２のリミッタ回路で振幅が前記第３の閾値以下の値に制限された前記制御対象信号に対して、第４の閾値以上の周波数成分の抑圧を行う第２の抑圧部と、
を備える。
【０００９】
好ましくは、前記第３の閾値は前記第１の閾値より大きい値である。
【００１０】
好ましくは、前記第４の閾値は前記第２の閾値に一致するとみなせる値である。
【００１１】
好ましくは、前記第２の周波数範囲は第５の閾値以下の周波数範囲であり、  
前記低減部は、前記第１のリミッタ回路で振幅が前記第１の閾値以下の値に制限された前記制御対象信号に対して、前記第５の閾値以下の周波数成分の抑圧を行い、
前記移相器は、前記第１のリミッタ回路で振幅が前記第１の閾値以下の値に制限され、前記低減部で前記第５の閾値以下の周波数成分が抑圧された前記制御対象信号に対して、前記位相シフトを行う。
【００１２】
好ましくは、前記第２の周波数範囲は第６の閾値以下の周波数範囲であり、
前記低減部は、前記移相器で前記位相シフトされた前記制御対象信号に対して、前記第６の閾値以下の周波数成分の抑圧を行い、
前記第１の抑圧部は、前記移相器で前記位相シフトされ、前記低減部で前記第６の閾値以下の周波数成分が抑圧された前記制御対象信号に対して、前記第２の閾値以上の周波数成分の抑圧を行う。
【００１３】
本発明の第２の観点に係る無線機は、
いずれかの前記偏移制御回路と、
前記情報信号の信号レベルに応じて搬送波の周波数を変化させる周波数変調を行う変調部と、
前記変調部で前記周波数変調された前記搬送波から送信信号を生成し、アンテナから送信する送信部と、
を備える。
【００１４】
好ましくは、前記送信信号の占有周波数帯域幅に応じて、前記移相器における前記位相シフトの対象となる前記第１の周波数範囲および前記位相シフトの前記定められた量、前記第１の抑圧部の前記第２の閾値、ならびに前記低減部の前記第２の周波数範囲の少なくともいずれかを調節する調節部をさらに備える。
【発明の効果】
【００１５】
本発明によれば、制御対象信号に対して、定められた周波数範囲内の周波数成分の抑圧を行うことで、周波数変調における最大周波数偏移の増大を抑制することが可能である。
【図面の簡単な説明】
【００１６】
【図１】本発明の実施の形態１に係る無線機の構成例を示すブロック図
【図２】実施の形態１に係る制御対象信号の例を示す図
【図３】実施の形態１に係る制御対象信号の例を示す図
【図４】実施の形態１に係る制御対象信号の例を示す図
【図５】実施の形態１に係る制御対象信号の例を示す図
【図６】実施の形態１に係る制御対象信号の例を示す図
【図７】実施の形態１に係る無線機の周波数変調における周波数偏移の例を示す図
【図８】周波数変調における周波数偏移の例を示す図
【図９】実施の形態１に係る無線機の周波数変調における最大周波数偏移の例を示す図
【図１０】周波数変調における最大周波数偏移の例を示す図
【図１１】実施の形態１に係る無線機の他の構成例を示すブロック図
【図１２】本発明の実施の形態２に係る無線機の構成例を示すブロック図
【図１３】実施の形態２に係る無線機の他の構成例を示すブロック図
【図１４】実施の形態２に係る無線機の他の構成例を示すブロック図
【発明を実施するための形態】
【００１７】
以下、本発明の実施の形態について図面を参照して詳細に説明する。なお図中、同一または同等の部分には同一の符号を付す。
【００１８】
（実施の形態１）
図１は、本発明の実施の形態１に係る無線機の構成例を示すブロック図である。無線機１は、マイク２、マイク２からの入力をＡ−Ｄ（Analog-to-Digital）変換するＡ−Ｄ変換器３、周波数微分を行うプリエンファシス回路４、および偏移制御回路５を備える。無線機１はさらに、偏移制御回路５が出力する情報信号に応じて周波数変調を行う変調部６、変調部６の出力に応じた送信信号を生成し、アンテナ８から送信する送信部７、コントローラ２０、表示部２５、および操作部２６を備える。偏移制御回路５は、ＩＤＣ（Instantaneous Deviation Control：瞬時偏移制御）回路であり、振幅制限を行う第１のリミッタ回路１１、位相シフトを行う移相器１２、高調波を抑圧する第１の抑圧部１３、および定められた周波数範囲内の周波数成分を抑圧することで情報信号の波高値を低減する低減部１４を備える。コントローラ２０は、ＣＰＵ（Central Processing Unit：中央処理装置）２１、ＲＡＭ（Random Access Memory）２３、およびＲＯＭ（Read-Only Memory）２４を備える。Ａ−Ｄ変換器３の後続の各部は、ＤＳＰ（Digital Signal Processor）で実現することができる。
【００１９】
複雑化を避け、理解を容易にするために、図１ではコントローラ２０から各部への信号線が省略されている。コントローラ２０は無線機１の各部にＩ／Ｏ（Input／Output）２２を介して接続しており、各部の処理の開始、終了、処理内容の制御を行う。ＣＰＵ２１は、ＲＯＭ２４に記憶されている制御プログラムを実行して、無線機１の制御を行う。またＩ／Ｏ２２を介して操作部２６から入力されるコマンドまたはデータを処理してＲＡＭ２３に一時的に記憶し、記憶したコマンドやデータを、例えばＬＣＤ（Liquid Crystal Display）で構成される表示部２５に表示する。図１の例では、無線機１の送信機能についてのみ示しているが、無線機１は受信機能を有してもよい。
【００２０】
無線機１の各部の動作について説明する。操作部２６により発信操作がされると、マイク２は音声入力に応じてアナログの音声信号をＡ−Ｄ変換器３に出力する。Ａ−Ｄ変換器３は、マイク２からの音声信号をアナログからデジタルに変換してプリエンファシス回路４に出力する。プリエンファシス回路４は、入力される信号の周波数に比例したレベルの信号を出力、すなわち周波数微分を行ったのち、受信側でのＳ／Ｎ（Signal-to-Noise：信号対雑音）比を改善するために、該信号の高周波成分の相対強度を予め増大させる処理を行う。
【００２１】
偏移制御回路５は、プリエンファシス回路４から入力された制御対象信号に対して、後述する変調部６が行う周波数変調における最大周波数偏移を規定値以下にするための調節を行い、調節した制御対象信号を情報信号として変調部６に出力する。偏移制御回路５の各部の動作について説明する。第１のリミッタ回路１１は、制御対象信号の振幅を第１の閾値以下の値に制限する、振幅制限を行う。第１の閾値は、変調部６が行う周波数変調における最大周波数偏移の規定値に応じて定めることができる。振幅制限を行うことで、波高値が第１の閾値より大きい制御対象信号の波形は、正弦波の波形から、矩形波とみなせる波形に変形される。矩形波は、基本波と奇数倍の高調波とで構成される。すなわち、第１のリミッタ回路１１では、奇数倍の高調波が生成される。第１のリミッタ回路１１のサンプリング周波数は、折り返しによって発生するノイズのレベルおよび振幅制限の処理の負荷に応じて定められる。
【００２２】
移相器１２は、第１のリミッタ回路１１で振幅制限された制御対象信号に対して、定められた第１の周波数範囲内の周波数成分の位相を定められた量だけシフトする、位相シフトを行う。移相器１２は、例えば、ＩＩＲ（Infinite Impulse Response：無限インパルス応答）フィルタで構成される全域通過フィルタである。第１の周波数範囲は、制御対象信号の周波数が取り得る値に応じて定めることができる。
【００２３】
第１の抑圧部１３は、移相器１２で位相シフトされた制御対象信号に対して、第２の閾値以上の周波数成分の抑圧を行う。第１の抑圧部１３は、制御対象信号に含まれている、第１のリミッタ回路１１で行う振幅制限および移相器１２で行う位相シフトによって生じる高調波を抑圧する。第２の閾値は、制御対象信号の周波数が取り得る値に応じて定めることができる。第１の抑圧部１３は、例えば、ＦＩＲ（Finite Impulse Response：有限インパルス応答）フィルタで構成されるスプラッタフィルタである。スプラッタフィルタは、遮断周波数である第２の閾値以上の周波数成分を減衰させる。スプラッタフィルタをデジタル回路で実現する場合、スプラッタフィルタの減衰特性は、アナログ回路の場合と比べて急峻であるため、第１のリミッタ回路１１の出力に含まれる高調波がアナログ回路の場合よりも急激に抑圧される。高調波成分が急激に抑圧されることで、周波数変調に用いられる信号の波高値が周波数ごとにばらつくため、周波数変調における最大周波数偏移が周波数ごとにばらついてしまう。そこで、本実施の形態１に係る無線機１においては、移相器１２で高調波の位相を定められた量だけシフトする。周波数変調における最大周波数偏移にばらつきが生じることを防ぐために、移相器１２は、例えば３倍高調波の位相を定められた量だけシフトする。位相のシフト量はシミュレーションまたは実験を行うことで、決定することができる。移相器１２が位相をシフトすることで、波高値のばらつきが抑制され、周波数変調における最大周波数偏移のばらつきが抑制される。
【００２４】
制御対象信号に複数の周波数成分が含まれる場合、複数の周波数成分が第１のリミッタ回路１１で混合されることで生じた低周波の位相が移相器１２で位相シフトされることで、移相器１２が出力する信号の波高値が増大することがある。波高値は、周波数変調における最大周波数偏移と同義であるから、複数の周波数成分が第１のリミッタ回路１１で混合され、移相器１２で位相がシフトされることで、周波数変調における最大周波数偏移が増大してしまう。周波数変調における最大周波数偏移の増大を抑制するため、偏移制御回路５は、第１のリミッタ回路１１で振幅制限された制御対象信号、移相器１２で位相シフトされた制御対象信号および第１の抑圧部１３で第２の閾値以上の周波数成分が抑圧された制御対象信号のいずれかに対して、定められた第２の周波数範囲内の周波数成分の抑圧を行うことで、情報信号の波高値を低減する低減部１４を備える。第２の周波数範囲は、複数の周波数成分が第１のリミッタ回路１１で混合されることで生じた低周波を含む周波数範囲であり、制御対象信号の周波数が取り得る値に応じて定めることができる。
【００２５】
実施の形態１では、低減部１４は、第１の抑圧部１３で第２の閾値以上の周波数成分が抑圧された制御対象信号に対して、定められた第２の周波数範囲内の周波数成分の抑圧を行う。低減部１４は、第２のリミッタ回路１５および第２の抑圧部１６を備える。第２のリミッタ回路１５は、制御対象信号の振幅を第３の閾値以下の値に制限する、振幅制限を行う。第３の閾値は、第１の閾値と同様に、後述する変調部６が行う周波数変調における最大周波数偏移の規定値に応じて定めることができる。実施の形態１においては、第３の閾値は第１の閾値より大きい値である。第２の抑圧部１６は、第１の抑圧部１３で第２の閾値以上の周波数成分が抑圧され、第２のリミッタ回路１５で振幅制限された制御対象信号に対して第４の閾値以上の周波数成分の抑圧を行う。すなわち、第２の抑圧部１６は、制御対象信号に含まれている、第２のリミッタ回路１５で振幅制限を行うことで生じる高調波を抑圧する。第２の抑圧部１６は、ＦＩＲフィルタで構成されるスプラッタフィルタである。スプラッタフィルタは遮断周波数である第４の閾値以上の周波数を減衰する。第４の閾値は、第２の閾値と同様に、後述する変調部６が行う周波数変調における最大周波数偏移の規定値に応じて定めることができる。実施の形態１においては、第４の閾値は第２の閾値に一致するとみなせる値である。第２の抑圧部１６で第４の閾値以上の周波数成分が抑圧された制御対象信号は、情報信号として変調部６に入力される。
【００２６】
図２ないし図６は、実施の形態１に係る制御対象信号の例を示す図である。図２ないし図６は、１．１ｋＨｚおよび２．２ｋＨｚの周波数成分を含む制御対象信号が偏移制御回路５に入力された場合の、偏移制御回路５の各部が出力する信号の波形を示す。図２ないし図６において、横軸は時間であり、縦軸は信号レベルである。図２は、第１のリミッタ回路１１が出力する信号の波形である。図３は、移相器１２が出力する信号の波形である。第１の周波数範囲の周波数成分の位相シフトを行うことで、波高値が増大する。図４は、第１の抑圧部１３が出力する信号の波形である。第１の抑圧部１３が出力する信号の波高値は、移相器１２が出力する信号の波高値とほぼ同じである。図５は、第２のリミッタ回路１５が出力する信号の波形である。図６は、第２の抑圧部１６が出力する信号の波形である。制御対象信号に対して２回目の振幅制限を行い、振幅制限によって生じる高調波を抑圧した結果である、第２の抑圧部１６が出力する信号の波高値は、第１の抑圧部１３が出力する信号の波高値と比べて、減少している。すなわち、低減部１４を設けることで、情報信号の波高値が低減される。
【００２７】
移相器１２として全域通過フィルタを用い、全域通過フィルタのＱ値または中心周波数を調節することで、最大周波数偏移の特性の調節を簡易化することが可能である。全域通過フィルタは上述のようにＩＩＲで実現することができるため、ＦＩＲと比べて処理の負荷を低減することが可能である。全域通過フィルタはゲインを有さない、すなわち振幅を変化させないため、変調感度に影響を与えることなく、最大周波数偏移の特性を調節することが可能である。
【００２８】
変調部６は、第２の抑圧部１６が出力する情報信号の信号レベルに応じて搬送波の周波数を変化させる周波数変調を行う。送信部７は、変調部６で周波数変調された搬送波から送信信号を生成し、アンテナ８から送信する。
【００２９】
図７は、実施の形態１に係る無線機の周波数変調における周波数偏移の例を示す図である。図７は、１．１ｋＨｚおよび２．２ｋＨｚの周波数成分を含む制御対象信号が偏移制御回路５に入力された場合の、変調部６での周波数変調における周波数偏移を示す。図７において横軸は時間であり、縦軸は周波数偏移（単位：ｋＨｚ）である。図８は、周波数変調における周波数偏移の例を示す図である。図８は、１．１ｋＨｚおよび２．２ｋＨｚの周波数成分を含む制御対象信号が偏移制御回路５に入力され、第１の抑圧部１３が出力する信号の信号レベルに応じて搬送波の周波数を変更する周波数変調を行った場合の、周波数変調における周波数偏移の例を示す図である。図の見方は図７と同様である。図７および図８から、第２のリミッタ回路１５および第２の抑圧部１６で構成される低減部１４を設けることで、周波数変調における最大周波数偏移の増大を抑制することが可能であることがわかる。
【００３０】
図９は、実施の形態１に係る無線機の周波数変調における最大周波数偏移の例を示す図である。図９は、制御対象信号に２つの周波数成分、すなわち第１の周波数成分および第２の周波数成分が含まれる場合の、無線機１が有する変調部６での周波数変調における最大周波数偏移を示す。水平面の一方の軸が第１の周波数成分（単位：ｋＨｚ）を示し、他方の軸が第２の周波数成分（単位：ｋＨｚ）を示し、垂直軸が最大周波数偏移（単位：ｋＨｚ）を示す。図１０は、周波数変調における最大周波数偏移の例を示す図である。図１０は、制御対象信号に２つの周波数成分が含まれ、無線機１が有する第１の抑圧部１３が出力する信号の信号レベルに応じて搬送波の周波数を変更する周波数変調を行った場合の、周波数変調における最大周波数偏移の例を示す図である。図の見方は図９と同様である。
【００３１】
図９および図１０から、第２のリミッタ回路１５および第２の抑圧部１６で構成される低減部１４を設けることで、制御対象信号に含まれる周波数成分の値によらず、周波数変調における最大周波数偏移の増大を抑制することが可能であることがわかる。
【００３２】
図１１は、実施の形態１に係る無線機の他の構成例を示すブロック図である。図１１に示す無線機１は、図１に示す無線機１の構成に加えて、調節部９を備える。調節部９は、送信信号の占有周波数帯域幅に応じて、移相器１２における第１の周波数範囲および位相シフトの量、第１の抑圧部１３における第２の閾値、ならびに低減部１４における第２の周波数範囲の少なくともいずれかを調節する。無線機１は、ナローモードおよびワイドモードの２つの動作モードを有する。ナローモードにおける送信信号の占有周波数帯域幅は、ワイドモードにおける送信信号の占有周波数帯域幅より狭い。例えば、調節部９は、無線機１がナローモードおよびワイドモードのいずれのモードで動作しているかに基づき、移相器１２を構成する全域通過フィルタにおいて位相をシフトする対象となる第１の周波数範囲および位相シフト量、第１の抑圧部１３を構成するスプラッタフィルタの遮断周波数、ならびに第２の抑圧部１６を構成するスプラッタフィルタの遮断周波数の少なくともいずれかを調節する。調節部９を、コントローラ２０の機能として実装してもよい。
【００３３】
以上説明したとおり、本実施の形態１に係る無線機１が有する偏移制御回路５によれば、低減部１４によって、制御対象信号に対して、第２の周波数範囲内の周波数成分の抑圧を行うことで、周波数変調における最大周波数偏移の増大を抑制することが可能である。
【００３４】
（実施の形態２）
図１２は、本発明の実施の形態２に係る無線機の構成例を示すブロック図である。図１２に示す実施の形態２に係る無線機１が有する偏移制御回路５は、実施の形態１と同じ第１のリミッタ回路１１、移相器１２、および第１の抑圧部１３に加えて、低減部１７を備える。低減部１７は、第１のリミッタ回路１１で振幅制限された制御対象信号に対して、第２の周波数範囲内の周波数成分の抑圧を行うことで、情報信号の波高値を低減する。第２の周波数範囲は、第５の閾値以下の周波数範囲である。すなわち、低減部１７は、第１のリミッタ回路１１で振幅制限された制御対象信号に対して、第５の閾値以下の周波数成分の抑圧を行う。低減部１７は、高域通過フィルタである。高域通過フィルタは、遮断周波数である第５の閾値以下の周波数成分を減衰させる。移相器１２は、低減部１７で第５の閾値以下の周波数成分が抑圧された制御対象信号に対して、実施の形態１と同様に位相シフトを行う。第１の抑圧部１３は、実施の形態１と同様に、移相器１２で位相シフトされた制御対象信号に対して、第１の周波数範囲内の周波数成分の抑圧を行う。低減部１７で低周波を抑圧することで、周波数変調における最大周波数偏移の増大を抑制することが可能である。
【００３５】
図１３は、実施の形態２に係る無線機の他の構成例を示すブロック図である。図１３に示す実施の形態２に係る無線機１が有する偏移制御回路５は、実施の形態１と同じ第１のリミッタ回路１１、移相器１２、および第１の抑圧部１３に加えて、移相器１２で位相シフトされた制御対象信号に対して、第２の周波数範囲内の周波数成分の抑圧を行う低減部１８を備える。第２の周波数範囲は、第６の閾値以下の周波数範囲である。低減部１８は、移相器１２で位相シフトされた制御対象信号に対して、第６の閾値以下の周波数成分の抑圧を行う。低減部１８は、高域通過フィルタである。高域通過フィルタは、遮断周波数である第６の閾値以下の周波数成分を減衰させる。第１の抑圧部１３は、低減部１８で第６の閾値以下の周波数成分が抑圧された制御対象信号に対して、第２の周波数範囲内の周波数成分を抑圧する。低減部１８で低周波を抑圧することで、周波数変調における最大周波数偏移の増大を抑制することが可能である。
【００３６】
図１４は、実施の形態２に係る無線機の他の構成例を示すブロック図である。図１４に示す無線機１は、図１２に示す無線機１の構成に加えて、調節部９を備える。調節部９は、送信信号の占有周波数帯域幅に応じて、移相器１２における第１の周波数範囲および位相シフトの量、第１の抑圧部１３における第２の閾値、ならびに低減部１７における第５の閾値の少なくともいずれかを調節する。例えば、調節部９は、無線機１がナローモードおよびワイドモードのいずれのモードで動作しているかに基づき、全域通過フィルタにおいて位相をシフトする対象となる第１の周波数範囲および位相シフト量、第１の抑圧部１３における第２の閾値、ならびに低減部１７を構成する高域通過フィルタの遮断周波数の少なくともいずれかを調節する。無線機１は、図１３に示す構成に加えて、調節部９を備えてもよい。調節部９を、コントローラ２０の機能として実装してもよい。
【００３７】
本発明の実施の形態は上述の実施の形態に限られない。移相器１２および第１の抑圧部１３を、ＩＩＲフィルタで構成される１つのスプラッタフィルタで実現してもよい。ＩＩＲで構成される１つのスプラッタフィルタで移相器１２および第１の抑圧部１３を実現することで、フィルタのタップ数を削減することが可能である。
【符号の説明】
【００３８】
１    無線機
２    マイク
３    Ａ−Ｄ変換器
４    プリエンファシス回路
５    偏移制御回路
６    変調部
７    送信部
８    アンテナ
９    調節部
１１    第１のリミッタ回路
１２    移相器
１３    第１の抑圧部
１４，１７，１８    低減部
１５    第２のリミッタ回路
１６    第２の抑圧部
２０    コントローラ
２１    ＣＰＵ
２２    Ｉ／Ｏ
２３    ＲＡＭ
２４    ＲＯＭ
２５    表示部
２６    操作部
【図１】
2018056715.tif 000003
【図２】
2018056715.tif 000004
【図３】
2018056715.tif 000005
【図４】
2018056715.tif 000006
【図５】
2018056715.tif 000007
【図６】
2018056715.tif 000008
【図７】
2018056715.tif 000009
【図８】
2018056715.tif 000010
【図９】
2018056715.tif 000011
【図１０】
2018056715.tif 000012
【図１１】
2018056715.tif 000013
【図１２】
2018056715.tif 000014
【図１３】
2018056715.tif 000015
【図１４】
2018056715.tif 000016